(57)【特許請求の範囲】
【請求項１】
テープカセットを収納するケース本体部と、該ケース本体部の後端側にヒンジ部を介して連設されていて、上記ケース本体部の開口部を開閉する蓋部と、上記ケース本体部の前端側にヒンジ部を介して連設されていて、上記蓋部を閉じた状態にロックするメインロック部とを備えた磁気記録テープカセット収納ケースにおいて、
上記ケース本体部と蓋部は、該蓋部を閉じた状態において、互いに嵌合する位置決め用の凹，凸部を前端側に有しているとともに、
上記凹，凸部の側面は、これら凹，凸部が嵌合したときに互いに係合して蓋部を閉じた状態に維持するサブロック部を有し、
上記サブロック部は、上記凹部の両側面に形成された突起と、上記凸部の両側面に形成された突起嵌合溝とで構成されていることを特徴とする磁気記録テープカセット収納ケース。
【請求項２】
請求項１において、蓋部の前面壁は、サブロック解除用の指掛部を有していることを特徴とする磁気記録テープカセット収納ケース。
【発明の詳細な説明】
【０００１】
【産業上の利用分野】
本発明は放送局で使用するデジタルビデオテープカセットやデジタルデータ用テープカセットのような大型で重いテープカセットを保管したり或は運搬したりするのに用いられる、一般にテープカセットキャリングケースと呼ばれているテープカセット収納ケースに関するものである。
【０００２】
【従来の技術】
業務用のテープカセットは、画質の向上や記録時間の延長を図るため大型化している。例えばデジタル記録再生用のテープカセットは、横幅３６６ｍｍ、縦幅２０６ｍｍ、厚さ３３ｍｍの外形寸法を有し、その重量も極めて大きい。
【０００３】
上記のような業務用のテープカセットを収納する磁気記録テープカセット収納ケース（以下単にテープカセット収納ケースという）ものが知られている。
【０００４】
図９は従来のテープカセット収納ケース１０１の側面図である。
【０００５】
テープカセット収納ケース１０１は、デジタルビデオテープカセット等のテープカセット１１１を収納するケース本体部１０２と、該ケース本体部１０２の後端側に第１のヒンジ部１０３を介して連設された背面部１０４と、該背面部１０４に第２のヒンジ部１０５を介して連設されていて、上記ケース本体部１０２の開口部を開閉する蓋部１０６と、上記ケース本体部１０２の前端側に第３のヒンジ部１０７を介して連設されていて、上記蓋部１０６を閉じた状態に維持するメインロック部１０８を備えている。
【０００６】
そして、上記ケース本体部１０２にテープカセット１１１を収納し、蓋部１０６を閉じて、上記メインロック部１０８を上記第３のヒンジ部１０７を中心にしてロック方向に回動させると、図１０に示したように、メインロック部１０８の先端部に設けた係合部１０９が、上記蓋部１０６に設けた被係合部１１０に係合して、蓋部１０６を閉じた状態にロックするようになっている。
【０００７】
上記メインロック部１０８は、上記係合部１０９の外側にロック解除用の指掛部１１１を有している。
【０００８】
上記メインロック部１０８は、上記指掛部１１１に指先を掛けて、上記第３のヒンジ部１０７を中心にして図１０の時計方向に回動させると、上記係合部１０９と被係合部１１０の係合が外れて、蓋部１０６のロックを解除するようになっている。
【０００９】
【発明が解決しようとする課題】
ところで、上記従来のテープカセット収納ケース１０１は、上記メインロック部１０８による蓋部１０６のロックを解除すると、図１１に示したように、上記第１，第２のヒンジ部１０３，１０５の反力で、上記蓋部１０６は、僅かに開かれた状態（所謂、半開き状態）になる。
【００１０】
蓋部１０６が僅かに開かれた状態で長時間放置されると、ケース本体部１０２内に塵埃等が侵入し、該ケース本体部１０２内に収納されているテープカセットに悪影響を及ぼす。
【００１１】
本発明は、メインロック部によるロックを解除しても、ヒンジ部の反力では蓋部が開かないようにするサブロック部を設けたテープカセット収納ケースを提供することにより上記従来の問題点を解決したものである。
【００１２】
【課題を解決するための手段】
本発明は、テープカセットを収納するケース本体部と、該ケース本体部の後端側にヒンジ部を介して連設されていて、上記ケース本体部の開口部を開閉する蓋部と、上記ケース本体部の前端側にヒンジ部を介して連設されていて、上記蓋部を閉じた状態にロックするメインロック部とを備えたテープカセット収納ケースにおいて、上記ケース本体部と蓋部の前端側には、該蓋部を閉じた状態において、互いに嵌合する位置決め用の凹，凸部を設けるとともに、上記凹，凸部の側面には、これら凹，凸部が嵌合したときに互いに係合して蓋部を閉じた状態に維持するサブロック部を設け、上記サブロック部は、上記凹部の両側面に形成された突起と、上記凸部の両側面に形成された突起嵌合溝とで構成した。
【００１３】
【作用】
蓋部をケース本体部上に重ね合わせて蓋部を閉じた状態にすると、これらケース本体部と蓋部の前端側に設けた位置決め用の凹，凸部が互いに嵌まり合うとともに、これら凹，凸部の側面に設けたサブロック部が係合して、蓋部をロックする。従って、メインロック部による蓋部のロックを解除しても、上記蓋部は、上記サブロック部でロック状態に保たれて、ヒンジ部の反力で半開き状態になるのを阻止される。
【００１４】
【実施例】
次に、本発明のテープカセット収納ケースを図１〜図８を参照して説明する。
【００１５】
図１は、テープカセット収納ケース１を開いた状態の斜視図、図２は、テープカセット収納ケース１を閉じてロックする前の斜視図である。
【００１６】
上記テープカセット収納ケース１は、テープカセットを収納するケース本体部２と、該ケース本体部２の後端側に薄肉の第１のヒンジ部３を介して連設された背面部４と、該背面部４の一端部に薄肉の第２のヒンジ部５を介して連設されていて、上記ケース本体部２の開口部を開閉する蓋部６と、上記ケース本体部２の前端側に薄肉の第３のヒンジ部７を介して連設されていて、上記蓋部６を閉じた状態にロックするメインロック部８を有している。
【００１７】
上記ケース本体部２は、矩形状の底面板２ａと、該底面板２ａの前端側に立設された前面壁２ｂと、上記底面板２ａの左，右両側に立設された第１，第２の側面壁２ｃ，２ｄとを備えていて、上記底面板２ａの内面には、一対のハブ９，１０が設けられている。
【００１８】
上記一対のハブ９，１０は、ケース本体部２内にテープカセットを収納したときに、該テープカセットの一対のリールの中心穴に侵入して、これらリール乃至テープカセットがケース内で移動するのを阻止するようになっている。
【００１９】
上記蓋部６は、上記ケース本体部２と同様に、矩形状の底面板６ａと、該底面板６ａの前端側に立設された前面壁６ｂと、上記前面壁６ａの左，右両側に立設された第１，第２側面壁６ｃ，６ｄを備えている。
【００２０】
そして、上記蓋部６をケース本体部２上に重ね合わせると、上記蓋部６の前面壁６ｂ、第１，第２の側面壁６ｃ，６ｄの先端面は、上記ケース本体部２の前面壁２ｂ、第１，第２の側面壁２ｃ，２ｄの先端面と互いに重なり合って、所謂蓋部が閉じられた状態になるようになっている。
【００２１】
上記ケース本体部２の前面壁２ｂと、蓋部６の前面壁６ｂの先端面には互いに嵌合する第１の凹部１１と、第１の凸部１２が設けられている。
【００２２】
また、上記ケース本体部２の第２の側面板２ｄと、蓋部６の第２の側面側６ｄには、互いに嵌合する第２の凹部１３と、第２の凸部１４が設けられている。
【００２３】
上記第１の凹，凸部１１，１２は、蓋を閉じたときに互いに嵌合して、ケース本体部２と蓋部６とが、第１，第２の側面壁方向（図１のＡ−Ａ方向）に位置ズレを起こすのを防止する。
【００２４】
上記第２の凹，凸部１３，１４は、蓋を閉じたときに互いに嵌合して、ケース本体部２と蓋部６とが、前面壁および背面部方向（図１のＢ−Ｂ方向）に位置ズレを起こすのを防止する。
【００２５】
図３に示したように、上記第１の凹部１１の両側面１１ａ，１１ｂと第１の凸部１２の両側面１２ａ，１２ｂには、上記第１の凹部１１内に第１の凸部１２を嵌合したときに互いに係合して、蓋を閉じた状態にロックするサブロック部２１が設けられている。
【００２６】
上記サブロック部２１は、上記第１の凹部１１の両側面１１ａ，１１ｂに形成された突起２２，２２と、上記第１の凸部１２の両側面１２ａ，１２ｂに形成された突起嵌合溝２３，２３とで構成されている。
【００２７】
そして、図４に示したように、上記第１の凹，凸部１１，１２を互いに嵌合すると、上記突起２２は突起嵌合溝２３内に嵌合して、蓋部６は、ケース本体部２にサブロック（仮止め）された状態になるのである。
【００２８】
上記蓋部６の前面壁６ｂの中央部には、サブロックを解除する際に指先を掛けるための指掛部３１が設けられている。
【００２９】
図５に示したように、上記指掛部３１は、蓋部６の前面壁６ｂの一部を凹ますことにより形成されている。
【００３０】
上述のように、ケース本体部２上に蓋部６を重ね合わせると、第１の凹，凸部１１，１２および第２の凹，凸部１３，１４が嵌合して、これらケース本体部２と蓋部６は、前後、左右への位置ズレを防止されるとともに、上記第１の凹，凸部１１，１２の両側面に設けたサブロック部２１でサブロックされる。
【００３１】
しかるのち、図５に示したように、メインロック部８を第３のヒンジ部７を中心として、図５の反時計方向に回動させれば、メインロック部８の先端に設けた係合部４１が、上記蓋部６に設けた被係合部４２に係合し、上記メインロック部８によって、ケース本体部２と蓋部６とはメインロックされた状態になるのである。上記メインロック部８は、上記係合部４１の外側にメインロック解除用の指掛部４３を有している。
【００３２】
実施例のテープカセット収納ケース１は上述のような構成である。
【００３３】
従って、メインロック部８によるロックを解除しても、上記サブロック部２１によって、蓋部６とケース本体部２は、ロックされた状態になっているので、上記第１，第２のヒンジ部３，５の反力で蓋部６が半開き状態になるのを阻止される。
【００３４】
そして、上記蓋部６に設けた指掛部３１に指先を掛けて、蓋部６をケース本体部２から離間する方向に回動させれば、上記サブロック部２１によるケース本体部２と蓋部６のサブロックは解除されて、蓋部６が開かれるのである。
【００３５】
なお、上述の実施例では、サブロック部２１を突起２２と突起嵌合溝２３とで構成した場合を示したが、図６に示したように、第１，第２の凹，凸部１１，１２の側面１１ａ，１１ｂ，１２ａ，１２ｂにそれぞれ突起２４，２５を設け、これら突起２４，２５を互いに係合させる構成としてもよい。
【００３６】
また、上述の実施例では、サブロックを解除する指掛部３１を、蓋部６の前面壁６ｂに凹部を設けることにより形成した場合を示したが、図７〜図８に示したように、ケース本体部２の前面壁２ｂに切欠部３２を設け、該切欠部３２により、上記蓋部６の前面壁６ｂの先端面（下面）の一端を露出させ、露出した先端面に指先を掛けるようにしてもよい。
【００３７】
【発明の効果】
本発明のテープカセット収納ケースには次に述べるような効果がある。
【００３８】
（１）請求項１のテープカセット収納ケースは、後端側をヒンジ部で連結したケース本体部と蓋部の前端側に互いに嵌まり合う位置決め用の凹，凸部を設け、これら凹，凸部の側面に互いに係合して蓋部を閉じた状態にロック（仮止め）するサブロック部を設けたので、凹，凸部が嵌合すれば、これら凹，凸部の側面に設けたサブロック部も確実に係合して、ロック機能を発揮する。
【００３９】
また、ヒンジ部の反対側にサブロック部を配置したので、上記ヒンジ部の反力により、蓋部が半開き状態になるのを弱い力で確実に阻止することができる。
【００４０】
（２）請求項２のテープカセット収納ケースは、蓋部に指掛部を設けたので、該指掛部に指先を掛けて蓋部を開方向に回動させることにより、簡単かつ容易に上記サブロック部によるサブロックを解除して蓋を開いた状態にすることができる。
【図面の簡単な説明】
【図１】テープカセット収納ケースの斜視図。
【図２】ロックする前の状態の斜視図。
【図３】ロックする前の状態の正面図。
【図４】ロックした状態の正面図。
【図５】図４のＡ−Ａ線断面図。
【図６】サブロック部の変形例を示す正面図。
【図７】サブロック解除用の指掛部の変形例を示す斜視図。
【図８】図７のＢ−Ｂ線断面図。
【図９】従来例の側面図。
【図１０】ロック状態の断面図。
【図１１】従来例の問題点を示す側面図。
【符号の説明】
１…テープカセット収納ケース
２…ケース本体部
３…第１のヒンジ部
５…第２のヒンジ部
６…蓋部
８…メインロック部
１１，１２…位置決め用の凹，凸部
２１…サブロック部
３１…サブロック解除用の指掛部
【図１】
0003541494.tif 000002
【図２】
0003541494.tif 000003
【図３】
0003541494.tif 000004
【図４】
0003541494.tif 000005
【図５】
0003541494.tif 000006
【図６】
0003541494.tif 000007
【図７】
0003541494.tif 000008
【図８】
0003541494.tif 000009
【図９】
0003541494.tif 000010
【図１０】
0003541494.tif 000011
【図１１】
0003541494.tif 000012